(57)【要約】【課題】水槽内の水位を安定化したドラム式洗濯機を提供する。【解決手段】エアトラップ部７４は、水槽４２の底部後方外周の側壁部に水槽４２と一体形成されて下方に開口部８８を有し、水槽４２底部に形成された排水口８５に接続された軟質材から成る排水管６４の一端側に一体形成された水位検知管８７は、開口部８８にて連結し、排水管６４は、フィルタケース８３のケース接続口８９と連結するとともに、エアトラップ部７４と、水位検知管８７と、排水口８５と、排水管６４と、ケース接続口８９とを、略水平に配置することにより、水槽内の水位の安定化ができる。【選択図】図１
2012170697.tif 000002
【特許請求の範囲】
【請求項１】
洗濯機筺体と、前記洗濯機筺体内に揺動自在に弾性支持された水槽と、前記水槽内に回転自在に内包された有底円筒状の回転ドラムと、前記洗濯機筺体の下部内方に配設されたリントフィルタを内設するフィルタケースと、前記水槽と一体形成されて下方に開口部を有するエアトラップ部と、前記エアトラップ部内の空圧の変化から水位を検知する水位検知手段と、前記水槽底部の排水口に接続された排水管と、前記排水管の一端側に一体形成され前記開口部と連結した水位検知管とを備え、前記水位検知管は、前記排水口の下方部近傍に傾斜部を設けて排水管より径小に形成し、前記排水管は、前記フィルタケースのケース接続口と連結し、前記水位検知管と、前記排水管と、前記ケース接続口とを略水平に配置したドラム式洗濯機。
【発明の詳細な説明】
【技術分野】
【０００１】
本発明は、回転ドラム内に収容した洗濯物を洗濯するドラム式洗濯機に関するものである。
【背景技術】
【０００２】
従来、この種のドラム式洗濯機では、蓋体と洗濯機本体を、連結部材にて連結する構成が提案されてきた（例えば、特許文献１）。
【０００３】
図３は、特許文献１に記載された従来のドラム式洗濯機の要部構成を示す縦断面図、図４は、同ドラム式洗濯機の水位検知構造を示す断面図である。
【０００４】
図３、図４において、洗濯機筺体２内にサスペンション構造（図示せず）により水槽３が支持され、この水槽３内には有底円筒状の回転ドラム５が回転自在に配置されている。水槽３底部には排水管路７が配設され、この排水管路７と一体に形成されたエアトラップ部１００と、エアトラップ部１００にエアチューブ１０４で接続された水位センサ（図示せず）により水位検知が行なわれる。
【０００５】
排水経路７は排水管１０７の接続部１０１により水槽３に形成された排水溝２０に連結され、排水管１０７はその直径を小さくして下方に傾斜部１０９を設けた水位検知管１０８と一体に形成され、水位検知管１０８の一端はエアトラップ部１００内に開口している。そして、排水管１０７の一端には排水口１０２で連結して排水弁２７を内装した外部排水管１０３が接続されている。
【先行技術文献】
【特許文献】
【０００６】
【特許文献１】特開２００５−１３７６４５号公報
【発明の概要】
【発明が解決しようとする課題】
【０００７】
しかしながら、前記従来の構成では、排水時に洗濯水がエアトラップ部に向かって流れるのでエアトラップ部内に糸屑などが入りこみやすく、エアトラップ部内に糸屑が入り込むと、設定水位と実際の水位とで誤差が出てしまうことがあった。
【０００８】
本発明は、前記従来の課題を解決するもので、水槽底部の配管構造において、エアトラップ部内に糸屑などが入りにくく水位を安定化させるドラム式洗濯機を提供することを目的とする。
【課題を解決するための手段】
【０００９】
本発明は、前記従来の課題を解決するもので、洗濯機筺体と、前記洗濯機筺体内に揺動自在に弾性支持された水槽と、前記水槽内に回転自在に内包された有底円筒状の回転ドラムと、前記洗濯機筺体の下部内方に配設されたリントフィルタを内設するフィルタケースと、前記水槽と一体形成されて下方に開口部を有するエアトラップ部と、前記エアトラップ部内の空圧の変化から水位を検知する水位検知手段と、前記水槽底部の排水口に接続された排水管と、前記排水管の一端側に一体形成され前記開口部と連結した水位検知管とを備え、前記水位検知管は、前記排水口の下方部近傍に傾斜部を設けて排水管より径小に形成し、前記排水管は、前記フィルタケースのケース接続口と連結し、前記水位検知管と、前記排水管と、前記ケース接続口とを略水平に配置したものである。
【００１０】
これによって、エアトラップ部内の空圧は安定し、排水時の水流が整流化されることにより水槽内の糸屑などがエアトラップ部へ流れ込みにくくなるので、より水位を安定させることができる。
【発明の効果】
【００１１】
本発明のドラム式洗濯機は、エアトラップ部内に糸屑などが入りにくく、水位の安定化ができる。
【図面の簡単な説明】
【００１２】
【図１】本発明の実施の形態におけるドラム式洗濯機の縦断面図
【図２】同ドラム式洗濯機の下部配管部を下方から見た要部斜視図
【図３】従来のドラム式洗濯機の縦断面図
【図４】同ドラム式洗濯機の水位検知構造を示す断面図
【発明を実施するための形態】
【００１３】
第１の発明は、洗濯機筺体と、洗濯機筺体と、前記洗濯機筺体内に揺動自在に弾性支持された水槽と、前記水槽内に回転自在に内包された有底円筒状の回転ドラムと、前記洗濯機筺体の下部内方に配設されたリントフィルタを内設するフィルタケースと、前記水槽と一体形成されて下方に開口部を有するエアトラップ部と、前記エアトラップ部内の空圧の変化から水位を検知する水位検知手段と、前記水槽底部の排水口に接続された排水管と、前記排水管の一端側に一体形成され前記開口部と連結した水位検知管とを備え、前記水位検知管は、前記排水口の下方部近傍に傾斜部を設けて排水管より径小に形成し、前記排水管は、前記フィルタケースのケース接続口と連結し、前記水位検知管と、前記排水管と、前記ケース接続口とを略水平に配置したことにより、エアトラップ部内の空圧は安定し、排水時の水流が整流化されることにより水槽内の糸屑などがエアトラップ部へ流れ込みにくくなるので、より水位を安定させることができる。
【００１４】
以下、発明の実施の形態について、図面を参照しながら説明する。また、この実施の形態によって本発明が限定されるものではない。
【００１５】
（実施の形態１）
図１は、本発明の実施の形態におけるドラム式洗濯機の縦断面図を示すものである。
【００１６】
図１において、洗濯機筺体４１の内部に揺動自在に水槽４２が配設され、水槽４２内には、回転ドラム４３が回転自在に配設されている。回転ドラム４３の回転中心に水平方向に回転軸（回転中心軸）４４が設けられ、この回転軸４４に、水槽４２の背面側近傍に取り付けたモータ４５が、ベルト４６を介して連結され、モータ４５により回転ドラム４３が正転、逆転方向に回転駆動される。回転ドラム４３の内壁面には、洗濯物を撹拌するための数個の突起板４７が設けられている。また、回転ドラム４３の外周部には、多数の通水孔４８が全面に設けられている。
【００１７】
上記の、水槽４２、回転ドラム４３、モータ４５等により、振動系の水槽ユニット４９が構成されており、この水槽ユニット４９は、洗濯機筺体４１上部から複数のばね体５０により、また、洗濯機筺体４１下部から複数の防振ダンパー５１により防振支持されている。
【００１８】
また、水槽４２の正面側で洗濯機筺体４１に設けた筺体開口部４０を、蓋体５２により開閉自在に覆い、蓋体５２は、水槽４２前部と筺体開口部４０を連結した防振と水封の役目をするシールパッキング８２を介して密閉し、また開くことができるようにしており、
この蓋体５２を開くことにより、衣類出入口５３を通して回転ドラム４３内に洗濯物を出し入れできるようにしている。
【００１９】
また、このドラム式洗濯機は、モード設定や制御プログラムに従い、モータ４５、給水系５４、排水系５５、水循環系５６を自動制御して、少なくとも洗い行程、すすぎ行程、脱水行程を行う機能を有している。
【００２０】
給水系５４は、第１の電磁弁５７（第１の給水手段）、あるいは第２の電磁弁５８（第２の給水手段）の開閉によって、第１の給水ホース５９、あるいは第２の給水ホース６０を通り、洗剤や柔軟仕上げ剤を収容し外部から引き出し自在の引き出し部（図示せず）を内部に収納する洗剤収容部６１を介して、給水経路６２から水槽４２内に適時に給水できる。
【００２１】
排水系５５は、排水ポンプ６３の駆動によって、洗い行程終了時、すすぎ行程終了時など必要なときに、水槽４２の底部に形成した凹部７１に設けた排水口８５に接続された排水管６４を介し、排水管６４の一端にケース接続口８９で連結されたフィルタケース８３に内設されフィルタつまみ８４により洗濯機筺体４１の前面下部外方から取り外し可能の糸屑類を捕集する役目のリントフィルタ６５を通過した後、排水ポンプ６３を通って、機内から機外の上方まで配設された排水ホース６６から排水できるようになっている。排水管６４の他端は、その直径を小さくして排水口８５の下方部近傍に傾斜部８６を設けた水位検知管８７と一体に形成され、水位検知管８７の一端は、エアトラップ部７４の開口部８８と連結している。なお、排水管６４は、接続しやすく水漏れせず、脱水時の振動吸収性を考慮してゴム材などの軟質材で作られている。
【００２２】
エアトラップ部７４は、水槽４２の底部後方外周の側壁部に、水槽４２と一体形成されており、空気管７５にて、洗濯機筺体４１の上部内方に設けられ圧力センサなどで構成された水位検知手段７６に連接している。水槽４２内部に給水されると、給水された水位に応じてエアトラップ部７４内の空気が圧縮され、空気管７５を通じて空圧が水位検知手段７６に伝わるので、水位検知手段７６は空圧の変化から水槽４２内の複数段の水位を検知する事が出来る。
【００２３】
なお、フィルタケース８３は、フィルタつまみ８４の操作性のために、洗濯機筺体４１の前面右下部に配設されており、排水管６４を効率良く配管するために、排水口８５は、前面から見て、水槽４２の縦中心よりも右側に設けられている。なお、底部の配管構造については、図２で後述する。
【００２４】
水循環系５６は、予洗い行程時、洗い行程時、すすぎ行程時など必要に応じ、水槽４２内の水を循環させて、洗剤の早期溶け込みや偏りの防止、洗いやすすぎの機能向上を図る。
【００２５】
この水循環系５６は、循環ポンプ６７を駆動させることで、水槽４２内の洗濯水を、排水管６４を介し、リントフィルタ６５を通過させ、循環ポンプ６７への流入側経路６８、循環ポンプ６７および循環ポンプ６７からの吐出側経路６９を介して、水槽４２前面側内方の噴出口７０より実線矢印で示す循環水として回転ドラム４３内に吐出することを繰り返す。なお、噴出口７０は、円周方向に複数設けられ、循環水は円周の全方向から吐出されるようになっている。
【００２６】
また、水槽４２の底部に形成した凹部７１には、洗濯水を加熱するシーズヒータ等からなる温水ヒータ（加熱手段）７２を水平方向に備えており、この温水ヒータ７２により加熱した水槽４２内の洗濯水を、前述のように、回転ドラム４３内に吐出することにより、
洗濯水を洗濯物にふりかけて、この洗濯水を、また循環させる。これにより加熱された洗濯水が洗濯物にふりかけられる為、洗濯水の分子活動が高まり、また洗剤の活性化が高まるので、洗浄力を高め、かつ洗いムラを少なくする事ができる。また、温水ヒータ７２近傍には、水温を検知するサーミスタ等の温度検知手段７３が設けられている。
【００２７】
また、洗濯機筺体４１の上部内方に設けられた洗剤収納部６１の後面上部と水槽４２上部とを、連結ホース７７で連結しており、行程運転動作により加圧される水槽４２内の空気を抜く役目をしている。
【００２８】
また、水槽４２の上面後部には、水槽ユニット４９の振動を検知する加速度センサの振動検知手段７８が配設されており、１方向の加速度でなく前後（Ｘ軸方向）、左右（Ｙ軸方向）、上下（Ｚ軸方向）の３軸方向の振動を検出し、運転を制御する。これは、実際の水槽ユニット４９の振動は、必ずしも一方向に限定できないので、多軸の加速度センサを用いて、精度高く検知する為である。
【００２９】
運転コース等のモードや各種機能の選択は、洗濯機筺体４１の前面上部に設けられた操作表示手段７９から使用者が入力設定手段８０へ入力して行い、洗濯機筺体４１の上部内方に配設された制御装置８１が、その入力情報を基に操作パネル７９上の表示手段（図示せず）で表示して使用者に知らせる。
【００３０】
図２は、本発明の実施の形態におけるドラム式洗濯機の水槽底部の配管部を下方から見た要部斜視図である。
【００３１】
図２において、前述のように、水槽４２の排水口８５は前面から見て、水槽４２の縦中心よりも右側に設けられており、また、排水口８５に接続された排水管６４の一端に連結されたフィルタケース８３も洗濯機筺体４１の前面右下部に配設されている。また、フィルタケース８３の左右に吐出側経路６９を連結する循環ポンプ６７と排水ホース６６を連結する排水ポンプ６３が配置されている。そして、排水口８５の後方に形成されたエアトラップ部７４と、水位検知管８７と、排水口８５と、排水管６４と、フィルタケース８３のケース接続口８９とは、略水平に配置されている。
【００３２】
以上のように構成されたドラム式洗濯機について、以下その動作、作用を説明する。
【００３３】
洗い行程、および、すすぎ行程においては、エアトラップ部７４はガラス入りポリプロピレンなどの強化プラスチック材で成形されている水槽４２と一体に形成されているために、エアトラップ部７４内の空圧は安定しており、水位のばらつきも抑えられている。
【００３４】
排水行程においては、水槽４２から排水系５５において満たされていた洗濯水が、排水ポンプ６３の駆動により、排水ホース６６から外部へ一気に排水される。この時に、排水口８５から排水管６４を介して、フィルタケース８３への強い水の流れが発生するが、排水口８５の下方部近傍に傾斜部８６があり、エアトラップ部７４と、水位検知管８７と、排水口８５と、排水管６４と、フィルタケース８３のケース接続口８９とが、略水平に配置されていることにより、水の流れが整流となってフィルタケース８３内へ流れる。このことにより、水槽４２内の糸屑などがエアトラップ部７４へ逆流して流れ込みにくく、経年により糸屑などの堆積により空圧が変化して水位が不安定になることも無い。
【００３５】
また、排水管６４はゴム材などの軟質材から出来ているために、排水口８５との接続やエアトラップ部７４の開口部８８との接続、あるいはケース接続口８９との接続作業が容易であり、水漏れの恐れも容易に防止できる。
【００３６】
以上のように、本実施の形態においては、エアトラップ部は、水槽の底部後方外周の側壁部に水槽と一体形成されて下方に開口部を有し、排水管の一端側に一体形成された水位検知管は開口部にて連結し、排水管は、リントフィルタを内設するフィルタケースのケース接続口と連結するとともに、エアトラップ部と、水位検知管と、排水口と、排水管と、ケース接続口とを、略水平に配置することにより、エアトラップ部内の空圧は安定し、排水時の水流が整流化されることにより水槽内の糸屑などがエアトラップ部へ流れ込みにくくなるので、より水位を安定させることができる。また、排水管の各部分への接続作業が容易であり、水漏れの恐れも容易に防止できる。
【産業上の利用可能性】
【００３７】
以上のように、本発明にかかるドラム式洗濯機は、水位の安定化ができるので、その他の洗濯機の用途に適用できる。
【符号の説明】
【００３８】
４１  洗濯機筺体
４２  水槽
４３  回転ドラム
６４  排水管
６５  リントフィルタ
７４  エアトラップ部
７６  水位検知手段
８３  フィルタケース
８５  排水口
８６  傾斜部
８７  水位検知管
８８  開口部
８９  ケース接続口
【図１】
2012170697.tif 000003
【図２】
2012170697.tif 000004
【図３】
2012170697.tif 000005
【図４】
2012170697.tif 000006